(57)【要約】【課題】結像性能が高く、小型・薄型でありながら、光学系が大口径化されたズームレンズ、このズームレンズを用いた撮像装置及び情報処理装置を提供する。【解決手段】物体側より順に、負の屈折力を有する第１レンズ群と、正の屈折力を有する第２レンズ群と、負の屈折力を有する第３レンズ群と、正の屈折力を有する第４レンズ群と、を備え、変倍時、第１レンズ群は固定であり、第２レンズ群は移動し、第３レンズ群は移動し、第４レンズ群は固定であり、第１レンズ群は、物体側より順に、負レンズと、反射光学素子と、正レンズと、を有し、以下の条件式（１）を満足することを特徴とする。  −５．０≦ｆ3／（ｆw×ｆt）1/2≦−０．５      （１）【選択図】図１
2013218256.tif 000002
【特許請求の範囲】
【請求項１】
物体側より順に、
負の屈折力を有する第１レンズ群と、
正の屈折力を有する第２レンズ群と、
負の屈折力を有する第３レンズ群と、
正の屈折力を有する第４レンズ群と、を備え、
変倍時、前記第１レンズ群は固定であり、前記第２レンズ群は移動し、前記第３レンズ群は移動し、前記第４レンズ群は固定であり、
前記第１レンズ群は、物体側より順に、負レンズと、反射光学素子と、正レンズと、を有し、
以下の条件式（１）を満足することを特徴とするズームレンズ。
−５．０≦ｆ3／（ｆw×ｆt）1/2≦−０．５      （１）
ここで、
ｆ3は、前記第３レンズ群の焦点距離、
ｆwは、広角端における前記ズームレンズ全系の焦点距離、
ｆtは、望遠端における前記ズームレンズ全系の焦点距離、
である。
【請求項２】
前記第２レンズ群は、物体側より順に、絞りと、正レンズと、正レンズと、負レンズと、正レンズと、を有することを特徴とする請求項１に記載のズームレンズ。
【請求項３】
以下の条件式（２）を満足することを特徴とする請求項１または２に記載のズームレンズ。
０．５≦ｆ2／（ｆw×ｆt）1/2≦１．５      （２）
ここで、
ｆ2は、前記第２レンズ群の焦点距離、
ｆwは、広角端における前記ズームレンズ全系の焦点距離、
ｆtは、望遠端における前記ズームレンズ全系の焦点距離、
である。
【請求項４】
以下の条件式（３）を満足することを特徴とする請求項１から３のいずれか１項に記載のズームレンズ。
−１．５≦ｆ1／（ｆw×ｆt）1/2≦−０．５      （３）
ここで、
ｆ1は、前記第１レンズ群の焦点距離、
ｆwは、広角端における前記ズームレンズ全系の焦点距離、
ｆtは、望遠端における前記ズームレンズ全系の焦点距離、
である。
【請求項５】
以下の条件式（４）を満足することを特徴とする請求項１から４のいずれか１項に記載のズームレンズ。
−１．０≦ｆ1o／ｆt≦−０．２      （４）
ここで、
ｆ1oは、前記第１レンズ群の物体側のレンズの焦点距離、
ｆtは、望遠端における前記ズームレンズ全系の焦点距離、
である。
【請求項６】
以下の条件式（５）を満足することを特徴とする請求項１から５のいずれか１項に記載のズームレンズ。
−２．０≦ｆ3／ｆ4≦−０．５      （５）
ここで、
ｆ3は、前記第３レンズ群の焦点距離、
ｆ4は、前記第４レンズ群の焦点距離、
である。
【請求項７】
前記第４レンズ群は樹脂レンズ１枚よりなることを特徴とする請求項１から６のいずれか１項に記載のズームレンズ。
【請求項８】
前記絞りの径は、変倍時に一定であることを特徴とする請求項１から７のいずれか１項に記載のズームレンズ。
【請求項９】
請求項１から８のいずれか１項に記載のズームレンズと、
撮像面を有する撮像素子を備えたことを特徴とする撮像装置。
【請求項１０】
情報処理装置を操作する入力部と、
少なくとも前記入力部からの情報を処理する処理部と、
該処理部からの情報に基づいて画像情報を取得する撮像装置と、
該撮像装置が取得した画像情報を処理する画像処理部と、
該処理された画像を表示する表示部と、を備え、
該撮像装置は、請求項９に記載の撮像装置であることを特徴する情報処理装置。
【請求項１１】
通信部を備え、
前記撮像装置で取得した画像情報を伝送（通信）可能であることを特徴する請求項１０に記載の情報処理装置。
【請求項１２】
音声取得部と情報記録部とを有することを特徴する請求項１０または１１に記載の情報処理装置。
【請求項１３】
前記情報処理装置は、携帯電子機器であることを特徴する請求項１０から１２のいずれか１項に記載の情報処理装置。
【発明の詳細な説明】
【技術分野】
【０００１】
本発明は、ズームレンズ、それを用いた撮像装置及び情報処理装置に関する。
【背景技術】
【０００２】
コンパクトカメラでは、撮像素子の画素ピッチの狭小化に伴い、多画素化が進んでいる。画素ピッチの狭小化に対応して光学系の性能を向上しようとすると、回折限界の影響が無視できなくなる。すなわち、光スポットの大きさの方が、画素の大きさよりも大きくなってしまうという状態になる。このような状態を解消するには、光学系の大口径化、すなわち、Ｆナンバーを小さくすることが必要になる。なお、光学系を大口径化するにあたっては、結像性能が高く、小型で薄型な光学系であることも求められる。
【０００３】
比較的大口径な光学系として、例えば、特許文献１と特許文献２には、４つのレンズ群で構成された屈曲変倍光学系（ズームレンズ系）が開示されている。この屈曲変倍光学系は、物体側から順に、負の屈折力を有する第１レンズ群と、正の屈折力を有する第２レンズ群と、負の屈折力を有する第３レンズ群と、正の屈折力を有する第４レンズ群で構成されている。そして、第１レンズ群には、光路を折り曲げる光学素子（プリズム）が配置されている。
【０００４】
ここで、広角端における光学系のＦナンバーは、特許文献１の光学系が約３．０、特許文献２の光学系が約３．４である。
【先行技術文献】
【特許文献】
【０００５】
【特許文献１】特開２００９−２１６９４１号公報
【特許文献２】特開２０１０−１５２１４３号公報
【発明の概要】
【発明が解決しようとする課題】
【０００６】
しかしながら、特許文献１や特許文献２の光学系は、光学系の大口径化が十分に達成されているとはいえない。
【０００７】
本発明は、このような課題に鑑みてなされたものであって、結像性能が高く、小型・薄型でありながら、光学系が大口径化されたズームレンズ、このズームレンズを用いた撮像装置及び情報処理装置を提供することを目的とする。
【課題を解決するための手段】
【０００８】
上述した課題を解決し、目的を達成するために、本発明のズームレンズは、
物体側より順に、
負の屈折力を有する第１レンズ群と、
正の屈折力を有する第２レンズ群と、
負の屈折力を有する第３レンズ群と、
正の屈折力を有する第４レンズ群と、を備え、
変倍時、第１レンズ群は固定であり、第２レンズ群は移動し、第３レンズ群は移動し、第４レンズ群は固定であり、
第１レンズ群は、物体側より順に、負レンズと、反射光学素子と、正レンズと、を有し、
以下の条件式（１）を満足することを特徴とする。
−５．０≦ｆ3／（ｆw×ｆt）1/2≦−０．５      （１）
ここで、
ｆ3は、第３レンズ群の焦点距離、
ｆwは、広角端におけるズームレンズ全系の焦点距離、
ｆtは、望遠端におけるズームレンズ全系の焦点距離、
である。
【０００９】
また、本発明の撮像装置は、ズームレンズと、撮像面を有する撮像素子を備えたことを特徴とする。
【発明の効果】
【００１０】
本発明によれば、結像性能が高く、小型・薄型でありながら、光学系が大口径化されたズームレンズ、このズームレンズを用いた撮像装置及び情報処理装置を提供することができる。
【図面の簡単な説明】
【００１１】
【図１】本発明の実施例１にかかるズームレンズの無限遠物点合焦時の光学構成を示す光軸に沿う断面図であり、（ａ）は広角端、（ｂ）は中間、（ｃ）は望遠端における断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３】本発明の実施例２にかかるズームレンズの無限遠物点合焦時の光学構成を示す光軸に沿う断面図であり、（ａ）は広角端、（ｂ）は中間、（ｃ）は望遠端における断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図５】本発明の実施例３にかかるズームレンズの無限遠物点合焦時の光学構成を示す光軸に沿う断面図であり、（ａ）は広角端、（ｂ）は中間、（ｃ）は望遠端における断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図７】本発明の実施例４にかかるズームレンズの無限遠物点合焦時の光学構成を示す光軸に沿う断面図であり、（ａ）は広角端、（ｂ）は中間、（ｃ）は望遠端における断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図９】本発明によるズームレンズを組み込んだデジタルカメラ１４０の外観を示す前方斜視図である。
【図１０】デジタルカメラ１４０の後方斜視図である。
【図１１】デジタルカメラ１４０の光学構成を示す断面図である。
【図１２】本発明のズームレンズが対物光学系として内蔵された情報処理装置の一例であるパソコン３００のカバーを開いた状態の前方斜視図である。
【図１３】パソコン３００の撮影光学系３０３の断面図である。
【図１４】パソコン３００の側面図である。
【図１５】本発明のズームレンズが撮影光学系として内蔵された情報処理装置の一例である携帯電話を示す図であり、（ａ）は携帯電話４００の正面図、（ｂ）は側面図、（ｃ）は撮影光学系４０５の断面図である。
【図１６】情報処理装置の処理部の構成を示すブロック図である。
【図１７】携帯電話の処理部の構成を示すブロック図である。
【発明を実施するための形態】
【００１２】
以下に、本発明にかかるズームレンズ、撮像装置及び情報処理装置の実施形態及び実施例を、図面に基づいて詳細に説明する。なお、この実施形態及び実施例によりこの発明が限定されるものではない。なお、近軸焦点距離が正の値のレンズを正レンズ、近軸焦点距離が負の値のレンズを負レンズとする。また、以下の説明において、光学系はズームレンズを意味する。
【００１３】
本実施形態のズームレンズは、物体側より順に、負の屈折力を有する第１レンズ群と、正の屈折力を有する第２レンズ群と、負の屈折力を有する第３レンズ群と、正の屈折力を有する第４レンズ群と、を備え、変倍時、第１レンズ群は固定であり、第２レンズ群は移動し、第３レンズ群は移動し、第４レンズ群は固定であり、第１レンズ群は、物体側より順に、負レンズと、反射光学素子と、正レンズと、を有し、以下の条件式（１）を満足することを特徴とする。
−５．０≦ｆ3／（ｆw×ｆt）1/2≦−０．５      （１）
ここで、
ｆ3は、第３レンズ群の焦点距離、
ｆwは、広角端におけるズームレンズ全系の焦点距離、
ｆtは、望遠端におけるズームレンズ全系の焦点距離、
である。
【００１４】
本実施形態のズームレンズでは、レンズ群の構成を負先行型の構成、すなわち、第１レンズ群の屈折力を負とする構成を採用している。そして、変倍時に、第２レンズ群と第３レンズ群とを移動させ、第１レンズ群と第４レンズ群とを固定している（静止させている）。ここで、第２レンズ群と第３レンズ群は、同じ方向に移動させることが好ましい。例えば、第２レンズ群と第３レンズ群を共に物体側に移動させると、第２レンズ群が移動した後の空間に、第３レンズ群を位置させることができる。このように、１つの空間を複数のレンズ群で共有することができるので、光学系の全長の短縮が可能になる。
【００１５】
なお、第３レンズ群を移動させてフォーカシングを行うと、第２レンズ群が移動した後の空間を、第３レンズ群の移動、すなわちフォーカシングのために利用できる。このように、変倍時だけでなく、フォーカシング時においても、１つの空間を有効に利用することができる。特に、望遠端では、フォーカシング時の移動量が多くなるので、上記の構成とするのが好ましい。
【００１６】
また、第１レンズ群は、物体側より順に、負レンズと、反射光学素子と、正レンズと、を有している。このような構成にすると、入射瞳位置を物体側へ近づけることができるので、第１レンズ群の外径を小さくできる。その結果、良好な結像性能の維持と光学系の薄型化の両立が可能になる。なお、反射光学素子はプリズムまたはミラーであって、光路を折り曲げるために用いられる。
【００１７】
そして、本実施形態のズームレンズは、以下の条件式（１）を満足する。
−５．０≦ｆ3／（ｆw×ｆt）1/2≦−０．５      （１）
ここで、
ｆ3は、第３レンズ群の焦点距離、
ｆwは、広角端におけるズームレンズ全系の焦点距離、
ｆtは、望遠端におけるズームレンズ全系の焦点距離、
である。
【００１８】
条件式（１）は、非点収差やコマ収差の補正、光学系の全長の短縮、そしてフォーカス精度を高くするのに好ましい条件式である。
【００１９】
条件式（１）の上限値を上回ると、ズーム倍率に対して第３レンズ群の焦点距離が短くなる（屈折力が大きくなる）ため、非点収差やコマ収差の補正が困難になる。さらに、大口径の光学系では焦点深度が浅くなるため、例えば、第３レンズ群でフォーカシングを行なう場合、フォーカス時に必要な精度の達成が困難になる。一方、条件式（１）の下限値を下回ると、ズーム倍率に対して第３レンズ群の焦点距離が長くなる（屈折力が小さくなる）。この場合、第３レンズ群を移動させてフォーカスを行なおうとすると、フォーカス時の移動量が増えてしまうため、全長が長くなってしまう。
【００２０】
なお、条件式（１）に代えて、以下の条件式（１’）を満足すると良い。
−４．０≦ｆ3／（ｆw×ｆt）1/2≦−０．７      （１’）
さらに、条件式（１）に代えて、以下の条件式（１’’）を満足するとなお良い。
−３．０≦ｆ3／（ｆw×ｆt）1/2≦−１．０      （１’’）
【００２１】
また、本実施形態のズームレンズは、第２レンズ群は、物体側より順に、絞り（開口絞り）と、正レンズと、正レンズと、負レンズと、正レンズと、を有することが好ましい。
【００２２】
絞りの近傍では、球面収差とコマ収差が発生しやすい。そこで、絞りの近傍に位置する第２レンズ群を上記のような構成にすることで、この球面収差とコマ収差の発生を抑制することができる。その結果、良好な結像性能を維持しながら、光学系の大口径化が可能になる。
【００２３】
また、変倍時、絞りは第２レンズ群と共に移動するため、変倍に伴って光学系のＦナンバーが変動する。なお、変倍時、第３レンズ群も移動するため、第３レンズ群もＦナンバーの変動に影響を及ぼす。ここで、第２レンズ群の屈折力が大きいと、Ｆナンバーの変動は主に第２レンズ群に依存することになる。そこで、第２レンズ群の屈折力を大きくすることで、第３レンズ群が移動することによるＦナンバーの変動への影響を小さくすることができる。
【００２４】
本実施形態のズームレンズでは、第２レンズ群を上記のように構成しているので、球面収差とコマ収差の発生を抑制させながら、第２レンズ群の屈折力を大きくすることができる。これにより、絞りよりも像側のレンズ群（第２レンズ群以降のレンズ群）の合成焦点距離の変動を軽減させることが可能となるので、負先行型の欠点である、変倍に伴うＦナンバーの変動を小さくすることが可能となる。なお、正レンズと負レンズを接合レンズしても良い。
【００２５】
また、本実施形態のズームレンズは、以下の条件式（２）を満足することが好ましい。
０．５≦ｆ2／（ｆw×ｆt）1/2≦１．５      （２）
ここで、
ｆ2は、第２レンズ群の焦点距離、
ｆwは、広角端におけるズームレンズ全系の焦点距離、
ｆtは、望遠端におけるズームレンズ全系の焦点距離、
である。
【００２６】
条件式（２）は、変倍に伴うＦナンバーの変動を抑え、球面収差、コマ収差の発生を抑えるのに好ましい条件式である。
【００２７】
条件式（２）の上限値を上回ると、ズーム倍率に対して第２レンズ群の焦点距離が長く（屈折力が小さく）なりすぎる。その結果、変倍時の第２レンズ群の移動量が増えてしまうので、変倍に伴うＦナンバーの変動が大きくなる。また、光学系の小型化が困難になるほか、望遠端でのＦナンバーが大きくなってしまう。一方、条件式（２）の下限値を下回ると、ズーム倍率に対して第２レンズ群の焦点距離が短く（屈折力が大きく）なりすぎるため、球面収差やコマ収差が発生してしまう。
【００２８】
なお、条件式（２）に代えて、以下の条件式（２’）を満足すると良い。
０．６≦ｆ2／（ｆw×ｆt）1/2≦１．４      （２’）
さらに、条件式（２）に代えて、以下の条件式（２’’）を満足するとなお良い。
０．７≦ｆ2／（ｆw×ｆt）1/2≦１．３      （２’’）
【００２９】
また、本実施形態のズームレンズは、以下の条件式（３）を満足することが好ましい。
−１．５≦ｆ1／（ｆw×ｆt）1/2≦−０．５      （３）
ここで、
ｆ1は、第１レンズ群の焦点距離、
ｆwは、広角端におけるズームレンズ全系の焦点距離、
ｆtは、望遠端におけるズームレンズ全系の焦点距離、
である。
【００３０】
条件式（３）は、大口径な光学系でありながら、球面収差、コマ収差、倍率色収差の発生を抑えるのに好ましい条件式である。
【００３１】
条件式（３）の上限値を上回ると、ズーム倍率に対して第１レンズ群の焦点距離が短く（屈折力が大きく）なりすぎる。その結果、絞りよりも像側のレンズ群へ入射する光線高が高くなってしまうため、球面収差やコマ収差が発生しやすくなる。また、薄型化にも不利である。さらに、望遠端でのＦナンバーが大きくなってしまう。一方、条件式（３）の下限値を下回ると、ズーム倍率に対して第１レンズ群の焦点距離が長く（屈折力が小さく）なりすぎる。その結果、絞りよりも像側のレンズ群で発生するコマ収差や倍率色収差の補正が十分にできなくなる。
【００３２】
なお、条件式（３）に代えて、以下の条件式（３’）を満足すると良い。
−１．３≦ｆ1／（ｆw×ｆt）1/2≦−０．６      （３’）
さらに、条件式（３）に代えて、以下の条件式（３’’）を満足するとなお良い。
−１．２≦ｆ1／（ｆw×ｆt）1/2≦−０．７      （３’’）
【００３３】
また、本実施形態のズームレンズは、以下の条件式（４）を満足することが好ましい。
−１．０≦ｆ1o／ｆt≦−０．２      （４）
ここで、
ｆ1oは、第１レンズ群の物体側のレンズの焦点距離、
ｆtは、望遠端におけるズームレンズ全系の焦点距離、
である。
【００３４】
条件式（４）は、大口径な光学系でありながら、球面収差や倍率色収差の発生を抑えるのに好ましい条件式である。
【００３５】
条件式（４）の上限値を上回ると、望遠端の焦点距離に対して第１レンズ群の物体側のレンズの焦点距離が短く（屈折力が大きく）なりすぎるため、倍率色収差が発生してしまう。一方、条件式（４）の下限値を下回ると、望遠端の焦点距離に対して第１レンズ群の物体側のレンズの焦点距離が長く（屈折力が小さく）なりすぎる。この場合、絞りよりも像側のレンズ群に入射する光線の高さが高くなるため、球面収差が発生してしまう。
【００３６】
なお、条件式（４）に代えて、以下の条件式（４’）を満足すると良い。
−０．９≦ｆ1o／ｆt≦−０．３      （４’）
さらに、条件式（４）に代えて、以下の条件式（４’’）を満足するとなお良い。
−０．８≦ｆ1o／ｆt≦−０．４      （４’’）
【００３７】
また、本実施形態のズームレンズは、以下の条件式（５）を満足することが好ましい。
−２．０≦ｆ3／ｆ4≦−０．５      （５）
ここで、
ｆ3は、第３レンズ群の焦点距離、
ｆ4は、第４レンズ群の焦点距離、
である。
【００３８】
条件式（５）は、像面（撮像素子）への入射する軸外光線の入射角を適切にするのに、好ましい条件式である。
【００３９】
条件式（５）の上限値を上回ると、第３レンズ群に対して第４レンズ群の焦点距離が長く（屈折力が小さく）なりすぎる。この場合、第４レンズ群から出射する光線を光軸方向に曲げるのが困難になる。その結果、像面（撮像素子の撮像面）の法線に対する入射光線の角度が大きくなるので、周辺光量が低下してしまう。一方、条件式（５）の下限値を下回ると、第３レンズ群に対して第４レンズ群の焦点距離が短く（屈折力が大きく）なりすぎるので、非点収差が発生してしまう。
【００４０】
また、本実施形態のズームレンズは、第４レンズ群は樹脂レンズ１枚よりなることが好ましい。
【００４１】
また、本実施形態のズームレンズは、絞りの径は変倍時に一定であることが好ましい。
【００４２】
また、本実施形態の撮像装置は、上記のズームレンズと、撮像面を有する撮像素子を備えたことを特徴とする。
【００４３】
なお、ズームレンズを、４つのレンズ群（第１レンズ群〜第４レンズ群）のみで構成しても良い。また、第１レンズ群を、物体側より順に、１つの負レンズと、１つの反射光学素子と、１つの正レンズのみで構成しても良い。また、第２レンズ群を、物体側より順に、絞り（開口絞り）と、１つの正レンズと、１つの正レンズと、１つの負レンズと、１つの正レンズのみで構成しても良い。なお、１つの正レンズと１つの負レンズを接合させて、接合レンズとしても良い。また、第３レンズ群を、１つの正レンズと１つの負レンズとのみで構成しても良い。
【００４４】
以下に、本発明に係るズームレンズの実施例を図面に基づいて詳細に説明する。なお、この実施例によりこの発明が限定されるものではない。
【００４５】
本発明の実施例１にかかるズームレンズについて説明する。図１は本発明の実施例１にかかるズームレンズの無限遠物点合焦時の光学構成を示す光軸に沿う断面図（レンズ断面図）であり、（ａ）は広角端、（ｂ）は中間焦点距離状態、（ｃ）は望遠端での断面図である。なお、以下全ての実施例において、レンズ断面図中、Ｃはカバーガラス、Ｉは撮像素子の撮像面を示している。
【００４６】
図２は実施例１にかかるズームレンズの無限遠物点合焦時における収差図であって、”ω”は半画角である。なお、収差図における記号は、後述の実施例においても共通である。
【００４７】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【００４８】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示している。
【００４９】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【００５０】
実施例１のズームレンズは、図１に示すように、物体側より順に、負の屈折力を有する第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とを有している。
【００５１】
第１レンズ群Ｇ１は、物体側より順に、物体側に凸面を向けた負メニスカスレンズＬ１と、反射光学素子Ｌ２と、物体側に凸面を向けた正メニスカスレンズＬ３と、で構成されている。
【００５２】
第２レンズ群Ｇ２は、物体側より順に、両凸正レンズＬ４と、物体側に凸面を向けた正メニスカスレンズＬ５と、物体側に凸面を向けた負メニスカスレンズＬ６と、両凸正レンズＬ７と、で構成されている。ここで、正メニスカスレンズＬ５と負メニスカスレンズＬ６とが接合されている。
【００５３】
なお、開口絞りＳは、両凸正レンズＬ４の物体側面と像側面の間に位置している。開口絞りがこのような位置にあっても、開口絞りは第２レンズＧ２よりも物体側に位置しているとみなす。
【００５４】
第３レンズ群Ｇ３は、像側に凸面を向けた正メニスカスレンズＬ８と、両凹負レンズＬ９と、で構成されている。
【００５５】
第４レンズ群Ｇ４は、両凸正レンズＬ１０で構成されている。
【００５６】
広角端から望遠端へと変倍する際には、第１レンズ群Ｇ１は固定（静止）、第２レンズ群Ｇ２は物体側へ移動し、第３レンズ群Ｇ３は物体側へ移動し、第４レンズ群Ｇ４は固定（静止）である。
【００５７】
非球面は、負メニスカスレンズＬ１の像側面と、両凸正レンズＬ４の両面と、両凸正レンズＬ７の両面と、正メニスカスレンズＬ８の像側面と、両凹負レンズＬ９の物体側面と、両凸正レンズＬ１０の両面と、の合計９面に設けられている。
【００５８】
次に、実施例２にかかるズームレンズについて説明する。図３は実施例２にかかる撮像光学系の無限遠物点合焦時の光学構成を示す光軸に沿う断面図、図４は実施例２にかかる撮像光学系の無限遠物点合焦時における収差図である。
【００５９】
実施例２のズームレンズは、図３に示すように、物体側より順に、負の屈折力を有する第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とを有している。
【００６０】
第１レンズ群Ｇ１は、物体側より順に、両凹負レンズＬ１と、反射光学素子Ｌ２と、両凸正レンズＬ３と、で構成されている。
【００６１】
第２レンズ群Ｇ２は、物体側より順に、両凸正レンズＬ４と、両凸正レンズＬ５と、両凹負レンズＬ６と、両凸正レンズＬ７と、で構成されている。ここで、両凸正レンズＬ５と両凹負レンズＬ６とが接合されている。
【００６２】
第３レンズ群Ｇ３は、両凹負レンズＬ８で構成されている。
【００６３】
第４レンズ群Ｇ４は、像側に凸面を向けた正メニスカスレンズＬ９で構成されている。
【００６４】
広角端から望遠端へと変倍する際には、第１レンズ群Ｇ１は固定（静止）、第２レンズ群Ｇ２は物体側へ移動し、第３レンズ群Ｇ３は物体側へ移動し、第４レンズ群Ｇ４は固定（静止）である。
【００６５】
非球面は、両凸正レンズＬ３の両面と、両凸正レンズＬ４の両面と、両凸正レンズＬ７の像側面と、正メニスカスレンズＬ９の両面と、の合計７面に設けられている。
【００６６】
次に、実施例３にかかるズームレンズについて説明する。図５は実施例３にかかる撮像光学系の無限遠物点合焦時の光学構成を示す光軸に沿う断面図、図６は実施例３にかかる撮像光学系の無限遠物点合焦時における収差図である。
【００６７】
実施例３のズームレンズは、図５に示すように、物体側より順に、負の屈折力を有する第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とを有している。
【００６８】
第１レンズ群Ｇ１は、物体側より順に、両凹負レンズＬ１と、反射光学素子Ｌ２と、物体側に凸面を向けた正メニスカスレンズＬ３と、で構成されている。
【００６９】
第２レンズ群Ｇ２は、物体側より順に、両凸正レンズＬ４と、両凸正レンズＬ５と、物体側に凸面を向けた負メニスカスレンズＬ６と、両凸正レンズＬ７と、で構成されている。
【００７０】
第３レンズ群Ｇ３は、両凹負レンズＬ８で構成されている。
【００７１】
第４レンズ群Ｇ４は、像側に凸面を向けた正メニスカスレンズＬ９で構成されている。
【００７２】
広角端から望遠端へと変倍する際には、第１レンズ群Ｇ１は固定（静止）、第２レンズ群Ｇ２は物体側へ移動し、第３レンズ群Ｇ３は物体側へ移動し、第４レンズ群Ｇ４は固定（静止）である。
【００７３】
非球面は、両凹負レンズＬ１の像側面と、第２レンズ群Ｇ２のすべてのレンズ（Ｌ４〜Ｌ７）の両面と、正メニスカスレンズＬ９の像側面と、の合計１０面に設けられている。
【００７４】
次に、実施例４にかかるズームレンズについて説明する。図７は実施例４にかかる撮像光学系の無限遠物点合焦時の光学構成を示す光軸に沿う断面図、図８は実施例４にかかる撮像光学系の無限遠物点合焦時における収差図である。
【００７５】
実施例４のズームレンズは、図７に示すように、物体側より順に、負の屈折力を有する第１レンズ群Ｇ１と、開口絞りＳと、正の屈折力を有する第２レンズ群Ｇ２と、負の屈折力を有する第３レンズ群Ｇ３と、正の屈折力を有する第４レンズ群Ｇ４とを有している。
【００７６】
第１レンズ群Ｇ１は、物体側より順に、両凹負レンズＬ１と、反射光学素子Ｌ２と、物体側に凸面を向けた正メニスカスレンズＬ３と、で構成されている。
【００７７】
第２レンズ群Ｇ２は、物体側より順に、両凸正レンズＬ４と、物体側に凸面を向けた正メニスカスレンズＬ５と、物体側に凸面を向けた負メニスカスレンズＬ６と、両凸正レンズＬ７と、で構成されている。ここで、正メニスカスレンズＬ５と負メニスカスレンズＬ６とが接合されている。
【００７８】
第３レンズ群Ｇ３は、像側に凸面を向けた正メニスカスレンズＬ８と、両凹負レンズＬ９と、で構成されている。
【００７９】
第４レンズ群Ｇ４は、両凸正レンズＬ１０で構成されている。
【００８０】
広角端から望遠端へと変倍する際には、第１レンズ群Ｇ１は固定（静止）、第２レンズ群Ｇ２は物体側へ移動し、第３レンズ群Ｇ３は物体側へ移動し、第４レンズ群Ｇ４は固定（静止）である。
【００８１】
非球面は、両凹負レンズＬ１の両面と、両凸正レンズＬ４の両面と、両凸正レンズＬ７の両面と、正メニスカスレンズＬ８の両面と、両凹負レンズＬ９の両面と、両凸正レンズＬ１０の両面と、の合計１２面に設けられている。
【００８２】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、＊印は非球面である。また、ＷＥは広角端、ＳＴは中間焦点距離状態、ＴＥは望遠端、焦点距離はズームレンズ全系の焦点距離、ＦＮＯ．はＦナンバー、ωは半画角、ｆｂはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。
【００８３】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【００８４】
数値実施例１
単位ｍｍ
面データ
面番号      r          d         nd       νd
物面       ∞         ∞
1       200.000      0.40     1.72903    54.04
2*        3.324      1.15
3          ∞        4.70     1.88300    40.80
4          ∞        0.19
5         8.808      0.80     1.94595    17.98
6        12.906      可変
7（絞り）  ∞       -0.50
8*        4.399      1.43     1.62263    58.16
9*      -36.406      0.50
10         4.806      1.08     1.49700    81.54
11        26.975      0.40     2.00100    29.13
12         3.363      0.28
13*        5.478      1.23     1.53367    55.82
14*       -8.143      可変
15       -68.013      0.95     1.53367    55.82
16*       -3.530      0.18
17*       -3.143      0.40     1.53367    55.82
18         7.849      可変
19*        8.435      1.15     1.63493    23.90
20*      -28.648      0.30
21          ∞        0.30     1.51633    64.14
22          ∞        0.70
像面        ∞
非球面データ
第２面
k=-0.357
A4=-1.59618e-03,A6=-1.37159e-06,A8=-6.27652e-06
第８面
k=-2.072
A4=1.33346e-03,A6=-4.70405e-05,A8=-1.49100e-05,A10=-8.27073e-08
第９面
k=-2.838
A4=-7.25052e-04,A6=-4.80920e-06,A8=-1.63979e-05,A10=9.31676e-08
第１３面
k=0.000
A4=-1.91909e-03,A6=2.09010e-04
第１４面
k=-0.152
A4=1.25388e-04,A6=1.66254e-04
第１６面
k=0.000
A4=4.34496e-03,A6=-9.93946e-04
第１７面
k=0.000
A4=5.26957e-03,A6=-1.00616e-03
第１９面
k=0.000
A4=-1.31603e-03,A6=1.00000e-04
第２０面
k=0.000
A4=5.00000e-04,A6=1.00000e-04
ズームデータ
ＷＥ      ＳＴ      ＴＥ
焦点距離         3.41      5.75      9.71
ＦＮＯ．         2.41      3.41      4.61
画角２ω        69.79     42.34     25.43
fb (in air)      1.22      1.17      1.18
全長 (in air)   25.92     25.87     25.88
d6               7.22      4.09      0.75
d14              1.84      1.00      2.50
d18              1.30      5.27      7.11
各群焦点距離
f1=-6.50      f2=6.15    f3=-11.23     f4=10.39
【００８５】
数値実施例２
単位ｍｍ
面データ
面番号      r          d         nd       νd
物面       ∞         ∞
1       -68.014      0.50     1.72916    54.68
2         3.612      1.08
3          ∞        4.60     1.88300    40.80
4          ∞        0.18
5*      116.222      0.61     2.10205    16.77
6*      -52.235      可変
7（絞り）  ∞       -0.50
8*        4.202      1.54     1.58313    59.38
9*      -18.780      0.05
10         3.681      1.57     1.49700    81.54
11        -8.996      0.40     1.91082    35.25
12         2.675      0.26
13         3.864      1.49     1.53367    55.82
14*       -5.133      可変
15       -14.626      0.40     1.53367    55.82
16         4.801      可変
17*       -7.442      1.00     1.63493    23.90
18*       -2.252      0.05
19          ∞        0.30     1.51633    64.14
20          ∞        0.70
像面        ∞
非球面データ
第５面
k=-10.000
A4=-1.60220e-04,A6=3.31764e-05
第６面
k= 0.000
A4=-6.22842e-04,A6=2.77701e-05
第８面
k=-1.410
A4=1.70738e-03,A6=5.38227e-05
第９面
k=5.000
A4=7.57941e-04,A6=7.50268e-06
第１４面
k=3.458
A4=6.59706e-03,A6=-6.28100e-06
第１７面
k=0.000
A4=4.69856e-03,A6=6.69429e-04
第１８面
k=-5.000
A4=-2.41366e-03,A6=1.03144e-03
ズームデータ
ＷＥ      ＳＴ      ＴＥ
焦点距離         3.40      5.73      9.68
ＦＮＯ．         2.37      3.41      4.66
画角２ω        71.14     42.64     25.65
fb (in air)      0.98      0.92      0.94
全長 (in air)   24.26     24.20     24.22
d6               6.71      3.89      0.75  
d14              1.52      1.10      1.82  
d16              1.87      5.11      7.53  
各群焦点距離
f1=-6.36      f2=5.40     f3=-6.72      f4=4.73   
【００８６】
数値実施例３
単位ｍｍ
面データ
面番号      r          d         nd       νd
物面       ∞         ∞
1      -176.066      0.50     1.72916    54.68
2*        3.728      1.02
3          ∞        4.90     1.88300    40.80
4          ∞        0.10
5         6.817      0.80     1.94595    17.98
6         8.254      可変
7（絞り）  ∞       -0.50
8*        4.518      1.31     1.53367    55.82
9*      -19.193      0.17
10*        6.167      1.66     1.53367    55.82
11*       -9.026      0.12
12*      104.406      0.40     1.63493    23.90
13*        3.032      0.61
14*        8.843      0.56     1.53367    55.82
15*      -29.045      可変
16       -62.855      0.40     1.53367    55.82
17         5.104      可変
18       -24.926      0.91     1.63493    23.90
19*       -4.361      0.95
20          ∞        0.30     1.51633    64.14
21          ∞        0.70
像面        ∞
非球面データ
第２面
k=-0.880
A4=9.35994e-04,A6=3.10895e-05,A8=2.28289e-06
第８面
k=-3.521
A4=3.46267e-03,A6=-1.47971e-05
第９面
k=3.630
A4=3.11008e-03,A6=6.74965e-05
第１０面
k=0.000
A4=2.22297e-03,A6=-6.71249e-05
第１１面
k=0.000
A4=-1.72406e-03,A6=4.12793e-05
第１２面
k=0.000
A4=-4.64416e-03,A6=-4.53966e-05
第１３面
k=0.000
A4=3.71342e-03,A6=1.58295e-05
第１４面
k=0.000
A4=1.13143e-02,A6=-2.00133e-05
第１５面
k=-2.075
A4=7.54284e-03,A6=2.61835e-05
第１９面
k=-5.000
A4=-1.17158e-03,A6=9.60978e-06
ズームデータ
ＷＥ      ＳＴ      ＴＥ
焦点距離         3.49      5.85      9.95
ＦＮＯ．         2.36      3.30      4.53
画角２ω        69.59     41.72     24.81
fb (in air)      1.88      1.82      1.80
全長 (in air)   24.85     24.79     24.77
d6               6.94      3.89      0.75
d15              1.43      1.16      2.51
d17              1.63      4.95      6.74
各群焦点距離
f1=-6.42      f2=5.52     f3=-8.83      f4=8.18
【００８７】
数値実施例４
単位ｍｍ
面データ
面番号      r          d         nd       νd
物面       ∞         ∞
1*     -149.587      0.40     1.74320    49.29
2*        3.518      1.23
3          ∞        4.70     1.91082    35.25
4          ∞        0.50
5         9.528      1.10     1.94595    17.98
6        14.619      可変
7（絞り）  ∞       -0.30
8*        4.199      1.47     1.49710    81.56
9*      -18.863      0.29
10         3.792      0.75     1.49700    81.54
11         5.339      0.40     1.84666    23.78
12         3.019      0.83
13*       72.066      0.73     1.51633    64.06
14*       -7.065      可変
15*      -17.039      0.82     1.53071    55.69
16*       -4.356      0.28
17*       -4.131      0.40     1.53071    55.69
18*       12.080      可変
19*       15.748      1.04     1.53071    55.69
20*       -8.596      0.40
21          ∞        0.30     1.51633    64.14
22          ∞        0.70
像面        ∞
非球面データ
第１面
k=0.000
A4=7.27861e-04,A6=-2.63700e-05
第２面
k=-0.195
A4=-1.18954e-03,A6=6.42509e-05,A8=-1.77626e-05
第８面
k=-5.000
A4=6.48812e-03,A6=-4.82578e-04,A8=2.00255e-06,A10=2.42127e-06
第９面
k=-4.166
A4=3.28280e-04,A6=2.34135e-04,A8=-8.13475e-05,A10=7.76079e-06
第１３面
k=0.000
A4=1.56489e-03,A6=6.93389e-04
第１４面
k=-5.000
A4=7.84780e-04,A6=8.29918e-04
第１５面
k=0.000
A4=-1.36831e-03,A6=1.03344e-03
第１６面
k=0.000
A4=1.25828e-03,A6=9.96955e-04
第１７面
k=0.000
A4=2.49605e-03,A6=-1.45660e-06
第１８面
k=0.000
A4=5.31750e-04,A6=-3.33403e-04,A8=8.25086e-05
第１９面
k=0.000
A4=-1.04881e-03,A6=-4.63631e-05,A8=3.84133e-05
第２０面
k=0.000
A4=5.00000e-04,A6=1.00000e-04,A8=3.04143e-05
ズームデータ
ＷＥ      ＳＴ      ＴＥ
焦点距離         3.35      5.66      9.55
ＦＮＯ．         2.46      3.48      4.76
画角２ω        70.85     43.63     26.31
fb (in air)      1.31      1.26      1.30
全長 (in air)   27.11     27.06     27.10
d6               7.52      4.14      0.55
d14              2.14      0.98      2.18
d18              1.50      6.04      8.43
各群焦点距離
f1=-6.60      f2=6.39    f3=-12.75     f4=10.64
【００８８】
次に、各実施例における条件式（１）〜（５）の値を掲げる。
条件式                       実施例１    実施例２    実施例３    実施例４
(1) f3/(fw×ft)1/2                -1.953      -1.173      -1.497      -2.253
(2) f2/(fw×ft)1/2                 1.069       0.943       0.937       1.129
(3) f1/(fw×ft)1/2                -1.131      -1.110      -1.088      -1.166
(4) f1o/ft                        -0.478      -0.485      -0.502      -0.484
(5) f3/f4                         -1.081      -1.421      -1.079      -1.199
【００８９】
（情報処理装置）
さて、以上のような本発明のズームレンズ、または当該ズームンレンズを用いた撮像装置を携帯電子機器などの情報処理装置に搭載することができる。このような情報処理装置としては、携帯電子機器としてのデジタルカメラ、ＰＣ、携帯電話などがあるが、これに限定されない。また、本発明の情報処理装置は携帯電子機器に限定されない。
【００９０】
図１６にこのような情報処理装置のブロック図を示す。情報処理装置５００は、入力部５０１と、処理部５０２と、撮像装置５０３と、画像処理部５０４と、表示部５０５を備えている。また図示されているように、情報処理装置は更に通信部５０６、音声取得部５０７、情報記録部５０８などを備えることが好ましい。
【００９１】
入力部５０１は、情報処理装置５００を操作するものである。処理部５０２は、少なくとも入力部５０１からの情報を処理する。撮像装置５０３は処理部５０２からの情報に基づいて画像情報を取得する。画像処理部５０４は撮像装置５０３が取得した画像情報を処理する。表示部５０５は処理された画像を表示する。ここで撮像装置５０３は本発明のズームレンズを搭載している。
【００９２】
さらに、通信部５０６は、撮像装置５０３で取得した画像情報を伝達（通信）可能に構成されている。また、音声取得部５０７は音声情報を取得するものであり、情報記録部５０９は取得した画像情報や音声情報を記録する。
【００９３】
（デジタルカメラ）
図９〜図１１は、本発明によるズームレンズを情報処理装置であるデジタルカメラの撮影光学系１４１に組み込んだ構成の概念図を示す。図９はデジタルカメラ１４０の外観を示す前方斜視図、図１０は同後方斜視図、図１１はデジタルカメラ１４０の構成を示す断面図である。
【００９４】
デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７等を含み、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、カバーガラスＣ、近赤外カットフィルターと光学的ローパスフィルター（図示略）を介してＣＣＤ１４９の撮像面上に形成される。
【００９５】
このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【００９６】
デジタルカメラ１４０においては、シャッターボタン１４５が情報処理装置５００の入力部５０１に対応し、撮像光学系１４１とＣＣＤ１４９が撮像装置５０３に対応し、処理手段１５１が画像処理部５０４に対応し、液晶表示モニター１４７が表示部５０５に対応する。また、デジタルカメラ１４０全体を制御するＣＰＵが処理部５０２に対応する。さらに、記録手段１５２は情報記録部５０８に対応する。
【００９７】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【００９８】
このように構成されたデジタルカメラ１４０は、撮影光学系１４１が大口径で、高い光学性能を有するズームレンズであるので、高性能で、奥行き方向が極めて薄い安価なデジタルカメラが実現できる。
【００９９】
なお、図１１の例では、カバー部材１５０として平行平面板を配置しているが、省いてもよい。
【０１００】
（パソコン）
次に、本発明のズームレンズが対物光学系として内蔵された情報処理装置の一例であるパソコンを図１２〜図１４に示す。図１２はパソコン３００のカバーを開いた状態の前方斜視図、図１３はパソコン３００の撮影光学系３０３の断面図、図１４は図１２の側面図である。図１２〜図１４に示されるように、パソコン３００は、キーボード３０１と、情報処理手段や記録手段と、モニター３０２と、撮影光学系３０３とを有している。
【０１０１】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１０２】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。なお、対物光学系１００と電子撮像素子チップ１６２との間にはカバーガラスＣが配置されている。
【０１０３】
鏡枠の先端には、対物光学系１００を保護するためのカバーガラス１０２が配置されている。電子撮像素子チップ１６２で受光された物体像は、端子１６６を介して、パソコン３００の処理手段に入力される。そして、最終的に、物体像は電子画像としてモニター３０２に表示される。図１２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１０４】
パソコン３００においては、キーボード３０１が情報処理装置５００の入力部５０１に対応し、対物光学系１００と電子撮像チップ１６２を有する撮像光学系３０３が撮像装置５０３に対応し、モニター３０２が表示部５０５に対応する。また、内蔵されるＣＰＵが処理部５０２および画像処理部５０４に対応する。
【０１０５】
（携帯電話）
次に、本発明のズームレンズが撮影光学系として内蔵された情報処理装置の一例である電話、特に持ち運びに便利な携帯電話が図１５に示される。図１５（ａ）は携帯電話４００の正面図、図１５（ｂ）は側面図、図１５（ｃ）は撮影光学系４０５の断面図である。図１５（ａ）〜（ｃ）に示されるように、携帯電話４００は、操作者の声を情報として入力するマイク部４０１と、通話相手の声を出力するスピーカ部４０２と、操作者が情報を入力するプッシュボタン４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図１７におけるＣＰＵ４０８）とを有している。ここで、モニター４０４は液晶表示素子である。また、図中、各構成の配置位置は、特にこれらに限られない。
【０１０６】
この撮影光学系４０５は、撮影光路４０７上に配置された本発明によるズームレンズ（図では略記）からなる対物レンズ２１２と、物体像を受光する撮像素子チップ１６２とを有している。これらは、携帯電話４００に内蔵されている。なお、対物レンズ２１２と電子撮像素子チップ１６２との間にはカバーガラスＣが配置されている。
【０１０７】
ここで、撮像素子チップ１６２上には光学的ローパスフィルター（図示略）が付加的に貼り付けられて撮像ユニット１６０として一体に形成され、対物レンズ２１２の鏡枠２１３の後端にワンタッチで嵌め込まれて取り付け可能になっているため、対物レンズ２１２と撮像素子チップ１６２の中心合わせや面間隔の調整が不要であり、組立が簡単となっている。また、鏡枠２１３の先端（図示略）には、対物レンズ２１２を保護するためのカバーガラス２１４が配置されている。なお、鏡枠２１３中のズームレンズの駆動機構等は図示を省いてある。 
【０１０８】
撮影素子チップ１６２で受光された物体像は、端子を介して処理手段に入力され、電子画像としてモニター４０４に、又は、通信相手のモニターに、又は、両方に表示される。また、通信相手に画像を送信する場合、撮像素子チップ１６２で受光された物体像の情報を、送信可能な信号へと変換する信号処理機能が処理手段には含まれている。なお、撮像素子チップ１６２には、物体光を受光して画像データに変換する機能だけでなく、画像データを用いて簡単な画像処理を行なう機能を持たせても良い。
【０１０９】
携帯電話４００では、プッシュボタン４０３が情報処理装置５００の入力部５０１に対応し、撮像光学系４０５および撮像ユニット１６０が撮像装置５０３に対応し、撮像素子チップ１６２が画像処理部５０４に対応し、モニター４０４が表示部５０５に対応し、アンテナ４０６が通信部５０６に対応し、マイク部４０１が音声取得部５０７に対応する。また、携帯電話４００を制御するＣＰＵ４０８が処理部５０２に対応し、内蔵されるメモリー４０９が情報記録部５０８に対応する。図１７に携帯電話４００のブロック図を示す。
【産業上の利用可能性】
【０１１０】
以上のように、本発明に係るズームレンズ及びこのズームレンズを用いた撮像装置は、結像性能が高く、小型・薄型でありながら、光学系が大口径化された点において有用である。
【符号の説明】
【０１１１】
Ｇ１…第１レンズ群
Ｇ２…第２レンズ群
Ｇ３…第３レンズ群
Ｇ４…第４レンズ群
Ｓ…開口絞り
Ｃ…カバーガラス
Ｉ…像面
１００…対物光学系
１０２…カバーガラス
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…撮像ユニット
１６２…撮像素子チップ
１６６…端子
２１２…対物レンズ
２１３…鏡枠
２１４…カバーガラス
３００…パソコン
３０１…キーボード
３０２…モニター
３０３…撮影光学系
３０４…撮影光路
３０５…画像
４００…携帯電話
４０１…マイク部
４０２…スピーカ部
４０３…プッシュボタン
４０４…モニター
４０５…撮影光学系
４０６…アンテナ
４０７…撮影光路
４０８…ＣＰＵ
４０９…メモリー
５００…情報処理装置
５０１…入力部
５０２…処理部
５０３…撮像装置
５０４…画像処理部
５０５…表示部
５０６…通信部
５０７…音声取得部
５０８…情報記録部
【図１】
2013218256.tif 000003
【図２】
2013218256.tif 000004
【図３】
2013218256.tif 000005
【図４】
2013218256.tif 000006
【図５】
2013218256.tif 000007
【図６】
2013218256.tif 000008
【図７】
2013218256.tif 000009
【図８】
2013218256.tif 000010
【図９】
2013218256.tif 000011
【図１０】
2013218256.tif 000012
【図１１】
2013218256.tif 000013
【図１２】
2013218256.tif 000014
【図１３】
2013218256.tif 000015
【図１４】
2013218256.tif 000016
【図１５】
2013218256.tif 000017
【図１６】
2013218256.tif 000018
【図１７】
2013218256.tif 000019